(57)【要約】【課題】  本発明は魚釣用リールに関し、良好な魚釣り操作性の維持を図りつつ、夜釣りを容易に行える魚釣用リールを提供することを目的とする。【解決手段】  請求項１に係る発明は、リール本体に回転自在に支持したスプールに釣糸を案内する釣糸案内部を、当該リール本体の前方に設けた魚釣用リールに於て、前記釣糸案内部に、前記スプールに巻回される蓄光性蛍光釣糸を励起して発光させる光源を一体的に設けたことを特徴とする。  そして、請求項２に係る発明は、請求項１に記載の魚釣用リールに於て、前記釣糸案内部は、スプール前方のリール本体の側板間に装着され、中央に釣糸挿通開口部が設けられた枠体であることを特徴とする。【選択図】    図２
2007259717.tif 000002
【特許請求の範囲】
【請求項１】
リール本体に回転自在に支持したスプールに釣糸を案内する釣糸案内部を、当該リール本体の前方に設けた魚釣用リールに於て、
前記釣糸案内部に、前記スプールに巻回される蓄光性蛍光釣糸を励起して発光させる光源を一体的に設けたことを特徴とする魚釣用リール。
【請求項２】
前記釣糸案内部は、スプール前方のリール本体の側板間に装着され、中央に釣糸挿通開口部が設けられた枠体であることを特徴とする請求項１に記載の魚釣用リール。
【請求項３】
前記釣糸案内部は、スプール前方のリール本体の側板間に装着されたレベルワインド機構のラインガイドであることを特徴とする請求項１に記載の魚釣用リール。
【請求項４】
前記光源を、リール本体上部に装着された表示器の表示部を照らすバックライトとして兼用させたことを特徴とする請求項２に記載の魚釣用リール。
【請求項５】
前記光源への給電状態を、スプールの所定の回転状態検知に基づき、自動的にＯＮ／ＯＦＦ制御することを特徴とする請求項１乃至請求項４のいずれか１項に記載の魚釣用リール。                                                                               
【発明の詳細な説明】
【技術分野】
【０００１】
本発明は、夜釣りを容易に行える魚釣用リールに関する。
【背景技術】
【０００２】
魚の習性により、日没後の暗い時間帯になると警戒心が薄くなり、大胆に小魚を追う魚が多くおり、夜釣りは大物をヒットさせる確率が高い釣法である。
しかし、夜釣りは仕掛けの放出方向や魚の動きが分かり難く、日中のような正確なキャスティングや魚との正確なやり取りが行えず、思うような釣果が得られないのが実情である。
【０００３】
そこで、暗い時間帯に於ても、釣糸の方向やキャスト位置が視認できるように、スプールに巻回する釣糸に蓄光性蛍光釣糸を使用し、この釣糸を励起して発光させるボックス状の蓄光器を釣竿や魚釣用リールに装着したものが特許文献１に開示されている。
この蓄光器は、釣糸挿通用の入口ガイドと出口ガイドを有するボックス状の蓄光器本体内に光源ランプや集光板を収容して、釣竿や魚釣用リールのリール本体に着脱可能としたもので、蓄光器本体の長さは５０ｃｍ以下、好ましくは２０ｃｍ以下とされている。
【特許文献１】特開２００４−２９８０４８号公報
【発明の開示】
【発明が解決しようとする課題】
【０００４】
しかし乍ら、斯様に内部に光源ランプや集光板，電池を収容したボックス状の蓄光器をリール本体に装着すると、蓄光器が大きく嵩張って魚釣り操作性の邪魔になると共に、携帯性に劣る欠点があった。
また、斯かる蓄光器を魚釣用リールから離間して釣竿に装着すると、釣竿のバランスが前方に大きく偏って手持ち感が重くなり、魚釣用リールの操作性を低下させてしまう虞がある。
【０００５】
更に、魚を待っている待機中等は、手動で電源スイッチをＯＦＦ操作し、巻取り時に再度手動でＯＮ操作しなければならないため不便であると共に、釣糸の繰出し時に蓄光器本体の入口ガイドや出口ガイドに釣糸が接触すると、釣糸に対する抵抗が大きくなり、釣糸の放出性能が低下して飛距離が落ちてしまう不具合も指摘されていた。
本発明は斯かる実情に鑑み案出されたもので、上述の如き不具合を解消し、良好な魚釣り操作性の維持を図りつつ、夜釣りを容易に行える魚釣用リールを提供することを目的とする。
【課題を解決するための手段】
【０００６】
斯かる目的を達成するため、請求項１に係る発明は、リール本体に回転自在に支持したスプールに釣糸を案内する釣糸案内部を、当該リール本体の前方に設けた魚釣用リールに於て、前記釣糸案内部に、前記スプールに巻回される蓄光性蛍光釣糸を励起して発光させる光源を一体的に設けたことを特徴とする。
そして、請求項２に係る発明は、請求項１に記載の魚釣用リールに於て、前記釣糸案内部は、スプール前方のリール本体の側板間に装着され、中央に釣糸挿通開口部が設けられた枠体であることを特徴とし、請求項３に係る発明は、請求項１に記載の魚釣用リールに於て、前記釣糸案内部は、スプール前方のリール本体の側板間に装着されたレベルワインド機構のラインガイドであることを特徴とする。
【０００７】
更に、請求項４に係る発明は、請求項２に記載の魚釣用リールに於て、前記光源を、リール本体上部に装着された表示器の表示部を照らすバックライトとして兼用させたことを特徴とし、請求項５に係る発明は、請求項１乃至請求項４のいずれか１項に記載の魚釣用リールに於て、前記光源への給電状態を、スプールの所定の回転状態検知に基づき、自動的にＯＮ／ＯＦＦ制御することを特徴としている。
【発明の効果】
【０００８】
請求項１乃至請求項３に係る発明によれば、リール本体に機能部材として装着される釣糸案内部に光源を一体的に装着したので、魚釣用リールが嵩張ったり釣竿のバランスが偏って手持ち感が重くなることがなく、良好な魚釣り操作性の維持を図り乍ら、夜釣りを容易に行えることとなった。
また、請求項４に係る発明によれば、リール本体に装着する光源の有効活用が図られて制作面で経済的であると共に、スペースの有効活用が図られてリール全体の小型化が可能となる。
【０００９】
そして、請求項５に係る発明によれば、光源への給電状態を自動的にＯＮ／ＯＦＦ制御することで消費電力を抑えることができると共に、煩わしい光源の手動によるＯＮ／ＯＦＦ操作から解放されて釣り動作に集中できる利点を有する。
【発明を実施するための最良の形態】
【００１０】
以下、本発明の実施形態を図面に基づいて詳細に説明する。
図１乃至図３は請求項１，請求項２，請求項４及び請求項５に係る魚釣用リールの一実施形態を示し、図中、１，３はフレーム５の左右に取り付く側板で、両側板１，３とフレーム５とによって魚釣用リール７のリール本体９が構成されている。そして、両側板１，３間に、図示しない軸受を介してスプール軸１１が回転可能に取り付き、当該スプール軸１１にスプール１３が回転可能に支持されている。
【００１１】
スプール１３は、スプール駆動モータ１５の駆動やハンドル１７の巻取り操作で回転して釣糸Ｌが巻回されるようになっており、図２に示すようにスプール駆動モータ１５は、スプール１３前方のフレーム５に一体成形されたモータケース１９内に収納されている。
そして、ハンドル１７側の側板３の上部前方に、特許第２９７７９７８号公報で開示された魚釣用リールと同様、スプール駆動モータ１５のモータ出力を調節するレバー形状の変速レバー２１がハンドル１７と同方向へ回転操作可能に取り付けられている。そして、リール本体９上部の側板１，３間に、マイクロコンピュータとその他の電装部品からなる制御回路等が収容された制御ボックス２３が設けられており、変速レバー２１の操作量に応じ、マイクロコンピュータがパルス信号のデューティ比としてスプール駆動モータ１５への電流通電時間率を可変制御して、スプール駆動モータ１５のモータ出力をモータ停止状態から高出力値まで連続的に増減調節するようになっている。
【００１２】
また、図示しないがスプール１３の一側部とこれに対向するフレーム５には、スプール１３の回転方向と回転数を検出する磁気センサとマグネットからなる回転検出手段が装着されており、磁気センサはマイクロコンピュータのＣＰＵに接続されている。
而して、マイクロコンピュータのＲＯＭには、特開平５−１０３５６７号公報で開示された魚釣用リールと同様、糸長計測基礎データが入力された糸長計測プログラムが組み込まれており、ＣＰＵは、磁気センサから出力されるスプール１３の正転／逆転の判定信号を取り込んで釣糸Ｌの繰出しか巻取りかを判定すると共に、磁気センサから取り込むスプール１３の回転パルス信号を基に、前記糸長計測プログラムによって糸長（釣糸Ｌの繰出し量）を計測するようになっている。
【００１３】
そして、ＣＰＵは、計測された糸長を表示駆動回路を介して制御ボックス２３の操作パネル２５上に設けた表示器２７に表示させるようになっており、釣人は斯かる表示を確認し乍ら、所定の水深に仕掛けを繰り出したり、ハンドル１７や変速レバー２１の操作で釣糸Ｌを巻き取ることができるようになっている。
更に、図２に示すようにスプール１３後方の側板１，３間には、側板３内に装着した図示しないクラッチ機構を操作するクラッチレバー２９が下方向へ押圧操作可能に取り付けられており、当該クラッチレバー２９の押圧操作で、クラッチ機構がクラッチＯＮからクラッチＯＦＦに切り換わるようになっている。
【００１４】
そして、このクラッチＯＦＦ状態でハンドル１７を巻取り方向へ回転させると、図示しない周知の復帰機構を介してクラッチ機構がクラッチＯＮ状態に復帰するように構成されており、このクラッチＯＮ／ＯＦＦの切換えでスプール１３が釣糸巻取り状態と釣糸繰出し状態とに切り換わって、スプール１３へのスプール駆動モータ１５やハンドル１７の動力が伝達／遮断されるようになっている。
【００１５】
更にまた、図２に示すようにリール本体９内には、スプール１３より前方（竿先側）のスプール駆動モータ１５上方に、スプール１３に釣糸Ｌを平行巻きするレベルワインド機構３１が装着されている。
レベルワインド機構３１は、スプール軸１１と平行に配置されたウォームシャフト３３と、当該ウォームシャフト３３の外周に刻設されたカム溝（図示せず）に噛合し、ウォームシャフト３３の回転に連動してその軸方向へ往復動するラインガイド（釣糸案内部）３５を備え、ラインガイド３５の下部に釣糸Ｌを挿通案内する釣糸案内孔３７が設けられている。そして、ウォームシャフト３３は、ウォームシャフト駆動歯車３９と連動歯車４１を介してスプール一体歯車４３に噛合しており、スプール１３の回転に連動してラインガイド３５がウォームシャフト３３に沿って左右に往復動することで、釣糸Ｌがスプール１３に均一に巻回されるようになっている。
【００１６】
そして、上記レベルワインド機構３１を覆って、中央に釣糸挿通開口部４５が設けられた周知のフィンガーガード部材（枠体；釣糸案内部）４７が、スプール１３前方の側板１，３間に装着固定されている。
フィンガーガード部材４７は、例えばＡＢＳ，ポリカーボネートが混入したＡＢＳ，ＡＢＳにガラス繊維を混入した繊維強化樹脂，ポリカーボネート入りのＡＢＳが混入した繊維強化樹脂等の樹脂材料で形成されており、レベルワインド機構３１（ラインガイド３５）の釣糸案内孔３７を介してスプール１３から釣糸Ｌを繰り出したり、釣糸Ｌをスプール１３に巻き取ることができるように釣糸挿通開口部４５がスプール１３の軸方向に設けられている。
【００１７】
更に、図１及び図２に示すようにフィンガーガード部材４７は、釣糸挿通開口部４５より竿先側が竿先方向に向けて順次幅狭に形成され、これに伴いフィンガーガード部材４７の左右の両端部に接合する側板１，３側も、フィンガーガード部材４７の形状に沿って形成されており、フィンガーガード部材４７の前方側端部４９は、モータケース１９の上面から前面を覆うように延設されて、これに接合する側板１，３と面一とされている。
【００１８】
尚、フィンガーガード部材４７表面の耐久性を向上させる目的で、フィンガーガード部材４７の表面に金属メッキが施されている。
そして、図２及び図３に示すように、釣糸Ｌの繰出し／巻取り方向に沿って釣糸挿通開口部４５の内周に、複数の細長い光源収容部５１が所定間隔を空けて形成されており、各光源収容部５１内に、キセノンランプや紫外線ＬＥＤ等からなる６個の小型直管の光源５３が組み込まれて、樹脂製の透明カバー５５で被覆されている。
【００１９】
尚、斯様に小型直管の光源５３を組み込むため、本実施形態のフィンガーガード部材４７は、通常のフィンガーガード部材に比し釣糸挿通開口部４５がリール本体９の前後方向に長尺に設定されている。
そして、図１に示すように光源収容部５１を除く釣糸挿通開口部４５の内周に、集光板５７が全周に亘って設けられている。
【００２０】
而して、各光源５３は、釣糸Ｌの繰出しや巻取りに伴い点灯する。
即ち、図１に示すように制御ボックス２３の操作パネル２５上にメインスイッチ５９が設けられており、当該メインスイッチ５９がＯＮ操作されると、マイクロコンピュータは「通常モード」から「制御モード」に移行する。
この「通常モード」は、釣糸Ｌの繰出しや巻取りで光源５３が点灯しない通常の実釣モードで、主として日中等の明るい時間帯に使用される。
【００２１】
そして、斯様にメインスイッチ５９がＯＮ操作されてマイクロコンピュータが「制御モード」に移行すると、マイクロコンピュータは、前記磁気センサから出力されるスプール１３の正転／逆転の判定信号を取り込んで釣糸Ｌの繰出しか巻取りかを判定すると共に、磁気センサから取り込むスプール１３の回転パルス信号を基に、マイクロコンピュータに組み込んだタイマの計時値から、単位時間当たりのスプール１３の回転数を計測する。
【００２２】
また、マイクロコンピュータのＲＯＭには、予め工場出荷段階で釣糸繰出し時の所定のスプール回転数と、釣糸巻取り時の所定のスプール回転数が設定，記憶されており、マイクロコンピュータのＣＰＵは、これらの設定値と前記計測値を比較し、計測値が設定値に達すると、光源５３への給電状態を自動的にＯＮ制御して光源５３を点灯させるようになっている。
【００２３】
そして、釣糸Ｌの繰出しや巻取りが停止してスプール回転が停止した後、所定の時間（例えば２分程度）が経過すると、ＣＰＵは光源５３への給電状態を自動的にＯＦＦ制御して光源５３を消灯させるようになっており、前記メインスイッチ５７がＯＦＦ操作されるまでの間、ＣＰＵは斯様に光源５３への給電状態を自動的にＯＮ／ＯＦＦ制御する。勿論、この「制御モード」に於ても、回転検出装置の計測値を基に糸長が計測されて表示器２７に糸長が表示され、変速レバー２１の操作でスプール駆動モータ１５のモータ出力が増減調節される。
【００２４】
また、図２に示すようにフィンガーガード部材４７の上部に接して制御ボックス２３がリール本体９に取り付けられているが、制御ボックス２３の底板６１に透孔６３が設けられており、光源５３が点灯すると、当該透孔６３を介して制御ボックス２３内に光が差し込むようになっている。
そして、制御ボックス２３内には反射板６５が設けられており、透孔６３から制御ボックス２３内に差し込まれた光がこの反射板６５で反射して、表示器２７の液晶表示部２７ａの表面を照らすようになっており、光源５３は液晶表示部２７ａを照らすバックライトとしても機能するように構成されている。
【００２５】
本実施形態はこのように構成されているから、夜釣りを行うに当たり、スプール１３に蓄光性蛍光釣糸Ｌを巻回する。勿論、明るい時間帯から蓄光性蛍光釣糸Ｌを使用してもよい。
蓄光性蛍光釣糸Ｌは従来周知のもので、合成樹脂モノフィラメントに蓄光性蛍光顔料を取り入れて、暗闇の中で発光する性能（夜光性）を付与した夜釣り用の釣糸である。
【００２６】
そして、実釣に於て、クラッチレバー２９のクラッチＯＦＦ操作で釣糸Ｌがスプール１３から繰り出され、クラッチＯＮ状態での変速レバー２１によるスプール駆動モータ１５の巻取り駆動やハンドル１７の巻取り操作でスプール１３に釣糸Ｌが巻回され、釣糸Ｌの繰出しや巻取りに伴い、回転検出手段の検出値を基に糸長が計測されて表示器２７に糸長が表示されるが、日没後の暗い時間帯になって釣人がメインスイッチ５９をＯＮ操作すると、既述したようにマイクロコンピュータは「制御モード」に移行する。
【００２７】
斯様に「制御モード」に移行すると、マイクロコンピュータのＣＰＵは、前記磁気センサから出力されるスプール１３の正転／逆転の判定信号を取り込んで釣糸Ｌの繰出しか巻取りかを判定すると共に、磁気センサから取り込むスプール１３の回転パルス信号を基に、マイクロコンピュータに組み込んだタイマの計時値から、単位時間当たりのスプール１３の回転数を計測する。
【００２８】
そして、ＣＰＵは、予め設定，記憶されている前記設定値と計測値を比較し、計測値が設定値に達すると、光源５３への給電状態を自動的にＯＮ制御して光源５３を点灯させる。
而して、斯様に光源５３が点灯すると、透孔６３から制御ボックス２３内に光が差し込んで表示器２７の液晶表示部２７ａが照らされると共に、釣糸Ｌの繰出しや巻取りに伴い、フィンガーガード部材４７の釣糸挿通開口部４５を釣糸Ｌが通過する際に、光源５３が釣糸Ｌ内の蓄光性蛍光顔料を発光状態に変えるため、釣糸Ｌが光ることとなる。そして、既述したようにメインスイッチ５７がＯＦＦ操作されるまでの間、ＣＰＵは光源５３への給電状態を自動的にＯＮ／ＯＦＦ制御する。
【００２９】
従って、本実施形態によれば、釣糸Ｌが光ることで、釣糸Ｌのキャスティング時に仕掛けの放出方向（釣糸Ｌの方向）やルアーの位置を正確に捉えることができ、また、巻取り操作時は、釣糸Ｌが光ることで魚の走りが見え、障害物のクリアや魚の誘導が楽に行えるため、魚との正確なやり取りが可能となって釣果が得られることとなる。
また、斯様に光源５３が点灯すると、透孔６３から制御ボックス２３内に光が差し込んで表示器２７の液晶表示部２７ａが照らされるため、表示器２７に表示された糸長計測値の確認が外部から容易に行え、且つ光源５３の有効活用が図られて制作面で経済的であると共に、スペースの有効活用が図られてリール全体の小型化が可能となる。
【００３０】
而も、本実施形態は、フィンガーガード部材４７に小型直管の光源５３を組み込んだ構造上、特許文献１の蓄光器に比し、魚釣用リール７が嵩張ったり釣竿のバランスが大きく偏って手持ち感が重くなることがなく、この結果、良好な魚釣り操作性の維持を図りつつ夜釣りを容易に行えることとなった。
加えて、光源５３への給電状態がＣＰＵによって自動的にＯＮ／ＯＦＦ制御されるため、消費電力を抑えることができると共に、煩わしい光源５３の手動によるＯＮ／ＯＦＦ操作から解放されて、釣り動作に集中できる利点を有する。
【００３１】
図４は請求項１，請求項３及び請求項５の一実施形態に係る魚釣用リールの要部拡大断面図を示し、本実施形態は、レベルワインド機構３１-1のラインガイド３５-1に着目し、釣糸Ｌを挿通案内するその釣糸案内孔３７-1の内周に細長い光源収容部５１-1を所定間隔を空けて複数設け、各光源収容部５１-1内に前記光源５３より短寸の小型直管の光源５３-1を組み込んでこれらを透明カバー５５-1で被覆したもので、ラインガイド３５-1には光源５３-1の電源としてボタン電池６７が収容されている。
【００３２】
そして、フィンガーガード部材４７-1は、前記フィンガーガード部材４７に比し釣糸挿通開口部４５-1が短寸の従来周知のものを用い、また、前記実施形態の如きバックライト機能をなくした構造で、その他の構成及び光源５３-1のＯＮ／ＯＦＦ制御は図１の実施形態と同様であるため、同一のものには同一符号を付してそれらの説明は省略する。
本実施形態に係る魚釣用リール７-1はこのように構成されており、本実施形態によっても、前記実施形態と同様、所期の目的を達成することが可能であり、また、ラインガイド３５-1に光源５３-1を組み込んだことで、更なる魚釣用リール７-1の小型化が図れる利点を有する。
【００３３】
尚、上記各実施形態は、スプール駆動モータ１５を備えた所謂魚釣用電動リールに本発明を適用したものであるが、スプール駆動モータを具備しない両軸リール等にも適用可能である。
【図面の簡単な説明】
【００３４】
【図１】請求項１，請求項２，請求項４及び請求項５の一実施形態に係る魚釣用リールの正面図である。
【図２】図１のII−II線断面図である。
【図３】図１に示す魚釣用リールの要部拡大断面図である。
【図４】請求項１，請求項３及び請求項５の一実施形態に係る魚釣用リールの要部拡大断面図である。
【符号の説明】
【００３５】
１，３ 側板
５  フレーム
７，７-1  魚釣用リール
９  リール本体
１１  スプール軸
１３  スプール
１５  スプール駆動モータ
１７  ハンドル
２１  変速レバー
２３  制御ボックス
２７  表示器
２７ａ  液晶表示部
２９  クラッチレバー
３１，３１-1  レベルワインド機構
３３  ウォームシャフト
３５，３５-1  ラインガイド
３７，３７-1  釣糸案内孔
４５  釣糸挿通開口部
４７  フィンガーガード部材
５１，５１-1  光源収容部
５３，５３-1  光源
５５，５５-1  透明カバー
５７  集光板
５９  メインスイッチ
６３  透孔
６５  反射板
Ｌ  釣糸（蓄光性蛍光釣糸）                                                                               
【図１】
2007259717.tif 000003
【図２】
2007259717.tif 000004
【図３】
2007259717.tif 000005
【図４】
2007259717.tif 000006